(57)【要約】【課題】二以上の板を上部、側部などいずれの側でも纏まりやすく、回動可能に配設でき重合状態を無理なく整然と配設できるようにした軸可動型蝶番およびこの蝶番を用いた両面表示装置。【解決手段】軸３を中心にして左右に回動する羽根板１，２を備えた蝶番において、軸３で回動自在に支持される一対の羽根板１，２の軸受孔４，６の一方の羽根板１，２の軸受孔４，６を、前記軸３の直径２倍以上の長さを有する大孔Ｈとして形成し、他方の羽根板１，２の軸受孔４，６で支持される軸３を前記大孔Ｈに沿って移動可能として成ることを特徴とする軸可動型蝶番。【選択図】図１
2008297753.tif 000002
【特許請求の範囲】
【請求項１】
軸を中心にして左右に回動する羽根板を備えた蝶番において、軸で回動自在に支持される一対の羽根板の軸受孔の一方の羽根板の軸受孔を、前記軸の直径２倍以上の長さを有する大孔として形成し、他方の羽根板の軸受孔で支持される軸を前記大孔に沿って移動可能として成ることを特徴とする軸可動型蝶番。
【請求項２】
請求項１記載の一方の羽根板は、端部に軸受孔を設けて他の軸に挿通させて回動自在として成ることを特徴とする請求項１記載の軸可動型蝶番。
【請求項３】
請求項１または２記載の軸可動型蝶番を用いて二板以上の板を羽根板に連設して折り返し可能として成ることを特徴とする軸可動型蝶番を用いた両面表示装置。
【発明の詳細な説明】
【技術分野】
【０００１】
本発明は、蝶番自体の軸を移動可能とし、この軸を中心として左右に回動する二枚の羽根板を同一軸で可動自在に支持できるようにした軸可能型蝶番およびこの蝶番を用いた両面表示装置に関する。
【背景技術】
【０００２】
扉、開き戸、蓋など枢軸を中心として回動させて開閉させたりするものとして広く蝶番が知られている（例えば、特許文献１参照）。
【０００３】
また、広告、或は単なる公演などの演題を表示するものとして、例えば立看板とかめくり板などの数多くの表示装置が知られている（例えば、特許文献２，３参照）。
【特許文献１】特開２００３−１８４４０４号公報
【特許文献２】特開平１０−２４７０６７号公報
【特許文献３】特開平６−３６０８１号公報
【発明の開示】
【発明が解決しようとする課題】
【０００４】
ところで、従来の蝶番では、軸を中心とする左右に回動する羽根板を備えているので、同一方向に配設される異なる蝶番を用いて、二以上の回動可能の板を集束することは重なり合うため、配置することは不可能であり、仮に集束させても板は肉厚く大きくなり、吊下状態では中心より外側に行くに従って広がり、極端な場合は裾広がり現象を生じて了うという不都合、問題があった。
【０００５】
本発明は、叙上の点に着目して成されたもので、二以上の板を上部、側部などいずれの側でも纏まりやすく、回動可能に配設でき重合状態を無理なく整然と配設できるようにした軸可動型蝶番およびこの蝶番を用いた両面表示装置を得ることを目的とする。
【課題を解決するための手段】
【０００６】
本発明は、以下の構成を備えることにより上記課題を解決できるものである。
【０００７】
（１）軸を中心にして左右に回動する羽根板を備えた蝶番において、軸で回動自在に支持される一対の羽根板の軸受孔の一方の羽根板の軸受孔を、前記軸の直径２倍以上の長さを有する大孔として形成し、他方の羽根板の軸受孔で支持される軸を前記大孔に沿って移動可能として成ることを特徴とする軸可動型蝶番。
【０００８】
（２）前記（１）記載の一方の羽根板は、端部に軸受孔を設けて他の軸に挿通させて回動自在として成ることを特徴とする請求項１記載の軸可動型蝶番。
【０００９】
（３）前記（１）または（２）記載の軸可動型蝶番を用いて二板以上の板を羽根板に連設して折り返し可能として成ることを特徴とする軸可動型蝶番を用いた両面表示装置。
【発明の効果】
【００１０】
本発明によれば、軸を中心として回動する二枚の羽根板は、軸が挿通する軸受孔の一方が、軸の直径の２倍以上の長さを有する大孔であるので、その大孔の長さ分に応じて一方の羽根板と他方の羽根板との間隔が大小に変化し、しかもその間隔を自由に調節変化させることができる。
【００１１】
一般に蝶番は、二個一組で使用する場合が多いので、二枚以上の表示板などの板を並列重合して使用する際、それぞれの板を支持する二個一組づつ計四個の蝶番は、大孔の長さに応じて他方の板の回動位置は大孔内の所定箇所を軸が位置して回動されるが、重合位置に達すると、重なり合う一方の板と他方の板の軸とは同一位置ではなく、軸の直径２倍以上の大孔の他の位置を保持できるので、重合による嵩張りとか裾広がりなどの不都合を生ずることなく整然と重合させることができる。
【００１２】
この整然たる重合構成は、板が水平方向に回動する場合は勿論のこと、上下垂直方向の鉄棒のように回動する場合でも同様に行わせることができる。
【００１３】
さらに、本発明によれば、他方の羽根板の端部に軸受孔を設けてあるので、この軸受孔に挿通される軸に二以上の軸可動型蝶番を順次と挿通させて、多数組の軸可動型蝶番として形成できると共に、この軸を固定支持させることにより、二以上の表示板などを立看板の用途に広く利用できる。この場合、他方の羽根板の端部に設けられる軸受孔を大孔構成とすることにより、重合される表示板の吊下配設を整然と、嵩張ることなく無理なく折り返して使用することができる。
【発明を実施するための最良の形態】
【００１４】
以下本発明を実施するための最良の形態を、実施例により詳しく説明する。
【実施例１】
【００１５】
図１（ａ），（ｂ）は、本発明に係る軸可動型蝶番の一実施例を示し、図１（ａ）は左右の羽根板１，２を分離して示す斜視図、図１（ｂ）は両羽根板１，２を軸３で組み込んで示す全体の斜視図である。
【００１６】
軸３で枢支される羽根板１，２の一方の羽根板１は、２本の支片１ａ，１ｂを有し、この２本の支片１ａ，１ｂの端部に軸３を枢支支持する軸受孔４，４の環部５，５を備える。他の羽根板２の中央に大孔Ｈを備える軸受孔６の環部７を突出し、前記他方の羽根板１の２本の支片１ａ，１ｂ間に配置すると共に、前記軸３を左右の軸受孔４，４と軸受孔６に係入させてある。そして、前記軸３が大孔Ｈを介して長さ方向に移動でき、これにより左右の羽根板１，２が離開又は接近できる。
【００１７】
なお、この大孔Ｈは長孔構成を備え、軸３の直径Ｐ１に対し、羽根板２と同一平面上において２倍以上の長孔部Ｐ２を設けてある。
【００１８】
さらに、符号８は両羽根板１，２に穿った止ビス用の孔で、両羽根板１，２を取り付ける表示板とか戸板などの所望の板或は柱，壁などに固着することができる。
【００１９】
図１（ｃ），（ｄ），（ｅ）は大孔Ｈの他の３例を示す変形例を示す。
【００２０】
図１（ｃ）は真円形状を示し、（ｄ）は角を丸めた三角形状を示し、（ｅ）は角を丸めた四角形状を示している。この場合も軸３の直径Ｐ１に対し２倍以上の長孔部Ｐ２を形成してある。
【実施例２】
【００２１】
図２は、本発明の第二の実施例を示す斜面図である。
【００２２】
基本的構成は、図１（ａ），（ｂ）で示す可動型蝶番と同一であり、同一構成箇所には同一の説明と同一の符号で示して説明の重複を避けた。
【００２３】
この実施例が前記実施例と異なる点は、一方の羽根板２の端部に軸９を挿通できる軸受孔１０を形成した環部１１を設けたことである。
【００２４】
なお図示しないが、軸受孔１０は、前記実施例と同様に２本の支片を設けて中央部を切欠した環部として構成することも可能である。
【００２５】
さらに、図３において示すように、軸を挿通する箇所を実施例１の図１（ａ），（ｂ）に示すように大孔Ｈ１とした軸受孔１０１を環部１１１として形成することもできる。
【実施例３】
【００２６】
図４は、さらに本発明の第三の実施例を示す全体の斜面図である。
【００２７】
図面において、前記実施例１，２と同一の構成と実質的に同一のものは、同一の説明と同一の符号を符し、説明の重複を省く。
【００２８】
この実施例の特徴とする構成は、図２で示す軸９に代る軸９ａを挿通する環部１１を左右に分割切欠して、１１ａ，１１ａとして、この環部１１ａ，１１ａの中間に新たな羽根板１２と軸９ａの軸受孔１３を備える環部１４を設けて、追加蝶番部１５を設けた点である。
【００２９】
なお、１６は他の部材に取り付けるための止ビス用の取付孔を示す。
【００３０】
以上の各実施例に基づいて、以下に有効な使用例を説明する。
【００３１】
［使用例１］
この使用例は、図１（ａ），（ｂ）に示す軸可動型蝶番を開閉自在の二重扉に用いた場合の一例を示す。
【００３２】
図５ないし図７は、各家庭の玄関の扉や部屋のガラス戸などに用いて二重扉として使用できる場合を示している。
【００３３】
柱１７に沿って、上下必要個所に可動型蝶番の一方の羽根板２を、釘や止ビス１８などを用いて複数同一垂直方向に位置合わせして固定する。
【００３４】
そして二種類の異なった扉や、ガラス戸や網戸を互いに他方の羽根板１同士を一致させて、止ビス１９で異なる２種類の扉やガラス戸や網戸など、板Ａ，Ｂが重なり合って柱１７に沿って垂直に装着できる（図５参照）。
【００３５】
この２種類の板Ａ，Ｂは、これを支持する羽根板１の軸３は、それぞれの他の羽根板２の大孔Ｈ内を前後に移動できるので、干渉することなく枢支され、それぞれ各別に軸３を中心として回動できるので、板Ａ，Ｂは、例えば網戸と玄関扉や、部屋の網戸とガラス戸などの異なる機能を備えた各別の用途に二重扉として利用できる。
【００３６】
なお、大孔Ｈの長さを軸３の径の長さの３倍以上とすれば、さらに多くの可動型蝶番を付加設置することにより、板Ａ，Ｂに加え、さらに３枚，４枚などのように数多くの板を付けることができる（図示せず）。
【００３７】
［使用例２］
この使用例は、図２または図３に示す軸可動型蝶番を利用できる。主として広告，宣伝などの複数板で組立てられる立看板に用いることが可能である。
【００３８】
図８には開閉自在の２枚の基板２０を立看板として用いた２例を（ａ），（ｂ）で示している。（ａ）は、２種類の表示例を示し、（ｂ）は３種類の表示例を示している。
【００３９】
そして、図８（ａ）は１枚の板がめくり板Ａとして、図２または図３に示す軸可動型蝶番を介して立看板Ｘ１に止着され、同図（ｂ）は、２枚のめくり板Ａ，Ｂが軸可動型蝶番を介して立看板Ｘ２に回転自在に枢支されている例を示している。
【００４０】
図９は、図８（ｂ）の立看板Ｘ２を構成する２枚の基板２０の上部要部を拡大して示す側面図である。そして、図１０は図９の上面図である。２枚の基板２０は、前部と後部の上端内側に設けた通常の蝶番構造２１で、開閉自在に必要な路面とか床面上に起立させたり、折畳んで片付けることができるようになっている。
【００４１】
そして、本発明にあっては、この普通の蝶番構造の軸９を延長し、図２に示す構成の蝶番の片方の羽根板２の環部１１の軸受孔１０内に挿通させ、これにより軸９には、多数組の可動型蝶番を挿通できる。図示では２組の４枚の可動型蝶番を挿通でき、その中間位置には、規正用の環体２２を挿嵌させて置くものである。
【００４２】
ところで、２枚のめくり板Ａ，Ｂは、それぞれその基端を他方の羽根板１の外側同士と内側同士が組となって止ビス用の孔８によって互いに整然と重なり合って可動型蝶番に固定させることができる。
【００４３】
図示では、図９において示されるように、左側の基板２０に沿って内側にめくり板Ａが位置し、その外側に重合して他のめくり板Ｂが配置される。
【００４４】
このめくり板Ｂは軸３が大孔Ｈを自由に移動できるもので、基板２０の軸９を中心として、矢符のように反対側に回転させると、無理なく自由に回動させることができ、しかも反対側の基板２０にめくられると、めくり板Ｂを支持している羽根板１の軸３は大孔Ｈ内を移動し、基板２０の表面に接する状態となる（図９鎖線状態）。
【００４５】
従って、つぎに、めくり板Ａを同様に反対側に回動させると、めくり板Ｂの反対面と接し、干渉することなく整然と重なって外側に位置することが分かる。
【００４６】
ここで、この種の立看板Ｘ２を、例えば、商店，店舗などの店先において使用する際、２枚の基板２０の表側と裏側とを他のめくり板Ａ，Ｂの表裏面と一致させることにより、めくり板ＡまたはＢの反転位置が２枚の基板２０への配置により、表側と裏側とが同一の広告内容、例えば「営業中」，「準備中」，「定休日」などの３種類の表示を行わせることができる（図８（ｂ）参照）。
【００４７】
なお、めくり板Ａ，Ｂに加え、軸３が移動する大孔Ｈを、より長くして他のめくり板（図示せず）を加えればさらに「臨時休業」とか「サービスタイム」など、営業内容を加えて表示できる。
【００４８】
［使用例３］
この使用例は、図４に示す軸可動型蝶番を利用して［使用例２］に示すように、主として広告，宣伝などの複数板で組立てられる立看板として用いた場合を示し、［使用例２］と同一の２枚のめくり板Ａ，Ｂが図４に示す軸可動型蝶番を介して立看板Ｘ３に回転自在に枢支される場合を示している。
【００４９】
前記［使用例２］との相違は、開閉自在の２枚の基板２０Ａ，２０Ａが、独自の蝶番２３で枢支されている点と、２枚のめくり板Ａ，Ｂを固着した可動型蝶番の追加蝶番部１５を一方の基板２０の上部に止ビス１８１と取付孔１６に挿通して固着させて軸９ａで回動自在に使用に供し得る点である。
【００５０】
この構成にあっても、めくり板ＡおよびＢは蝶番２３の軸９ａを中心とした左右の基板２０Ａ，２０Ａに向って反転折り返し自在に回動させることができる。
【００５１】
したがって、前記［使用例２］と同様に図８（ｂ）に示すように、多目的の看板効果を行わせることができる。
【００５２】
以上、使用例のいくつかを説明したが、立看板以外の演題のプログラムとか両面の同一表示目的とする用途に使用できる。
【図面の簡単な説明】
【００５３】
【図１】（ａ），（ｂ）は本発明に係る軸可動型蝶番の一実施例を示す分解斜面図と組立完成斜面図を示し、（ｃ），（ｄ），（ｅ）は同上大孔の変形例を示す要部の側面図で、（ｃ）は真円形状、（ｄ）は角を丸めた三角形状、（ｅ）は角を丸めた四角形状を夫々示す。
【図２】本発明の他の実施例を示す可動型蝶番の斜面図
【図３】さらにその他の実施例を示す斜面図
【図４】さらに他の追加蝶番を加えた実施例の斜面図
【図５】図１（ａ），（ｂ）に示す可動型蝶番の使用例を示す側面図
【図６】同上の上面から見た拡大平面図
【図７】図５のＶＩＩ−ＶＩＩ線拡大断面図
【図８】（ａ），（ｂ）は立看板として使用できる２例を示す概略側面説明図
【図９】本発明に係る軸可動型蝶番を看板として用いた場合の側面図
【図１０】図９の上面図
【図１１】他の軸可動型蝶番を用いた他の看板として用いた場合の側面図
【図１２】図１１の上面図
【符号の説明】
【００５４】
１，２        羽根板
１ａ，１ｂ    支片
３            軸
４，６        軸受孔
５，７        環部
８            止ビス用の孔
９，９ａ      軸
１０,１０１    軸受孔
１１，１１１，１１ａ  環部
１２          羽根板
１３          軸受孔
１４          環部
１５          追加蝶番部
１６          取付孔
１７          柱
１８，１８１，１９    止ビス
２０，２０Ａ  基板
２１          蝶番構造
２２          環体
２３          蝶番
Ａ，Ｂ        板（めくり板）
Ｈ，Ｈ１       大孔
Ｘ１，Ｘ２，Ｘ３  立看板
Ｐ１           軸３の直径
Ｐ２           長孔部
【図１】
2008297753.tif 000003
【図２】
2008297753.tif 000004
【図３】
2008297753.tif 000005
【図４】
2008297753.tif 000006
【図５】
2008297753.tif 000007
【図６】
2008297753.tif 000008
【図７】
2008297753.tif 000009
【図８】
2008297753.tif 000010
【図９】
2008297753.tif 000011
【図１０】
2008297753.tif 000012
【図１１】
2008297753.tif 000013
【図１２】
2008297753.tif 000014